(57)【特許請求の範囲】
【請求項１】
プラグの先端部が挿入される挿入口と、
前記プラグの先端部が前記挿入口に挿入された状態で前記プラグの段差に当接する当接面とを備えたジャックと、
前記当接面よりも外側に備えられ、前記プラグの先端部が前記挿入口に挿入された状態で前記プラグの段差に接触し、前記プラグの先端部が前記挿入口から抜かれた状態で前記プラグの先端部が前記挿入口に挿入された状態よりも前記プラグの先端部の挿入方向とは逆方向に移動する移動部と、
前記ジャックに対して相対的に固定される固定部と、
弾性を有し前記移動部と前記固定部とを接続する接続部と
を有する電子機器。
【請求項２】
前記接続部は前記挿入口と同心円状に配される請求項１に記載の電子機器。
【請求項３】
前記接続部の復元力により前記移動部が前記プラグに当接する接触圧は、前記挿入口に一部が挿入された前記プラグの結合力の１／１０から１／２００の範囲内である請求項１または２に記載の電子機器。
【請求項４】
前記接続部は、前記固定部よりも厚みが小さい請求項１から３のいずれか一項に記載の電子機器。
【請求項５】
前記移動部、前記固定部および前記接続部は導電性を有する請求項１から４のいずれか一項に記載の電子機器。
【請求項６】
前記挿入口、前記当接面、および前記移動部と、前記ジャックとを覆う、開閉自在なカバーをさらに備える請求項１から５のいずれか一項に記載の電子機器。
【発明の詳細な説明】
【技術分野】
【０００１】
本発明は、防水ジャック装置および電子機器に関する。
【背景技術】
【０００２】
一方の同軸コネクタに環状の防水パッキンを設けて、カップリングナットにより他方の同軸コネクタを締め付けるときに、当該防水パッキンに同軸コネクタの先端を食い込ませて変形させるものがある（例えば、特許文献１参照）。
特許文献１  実用新案登録番号３００２３８０
【発明の概要】
【発明が解決しようとする課題】
【０００３】
上記同軸コネクタにあってはカップリングナットの締め付けによる結合力を用いて防水パッキンを変形することができるが、単に挿抜方向に差し込む差し込み式のプラグとジャックにあっては防水パッキンに食い込むほどの力を得ることが困難である。
【課題を解決するための手段】
【０００４】
本発明の一態様においては、プラグの先端部が挿入される挿入口と、プラグの先端部が挿入口に挿入された状態でプラグの段差に当接する当接面とを備えたジャックと、当接面よりも外側に備えられ、プラグの先端部が挿入口に挿入された状態でプラグの段差に接触し、プラグの先端部が挿入口から抜かれた状態でプラグの先端部が挿入口に挿入された状態よりもプラグの先端部の挿入方向とは逆方向に移動する移動部と、ジャックに対して相対的に固定される固定部と、弾性を有し移動部と固定部とを接続する接続部とを有する電子機器が提供される。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】デジタルカメラ１０の斜視図である。
【図２】デジタルカメラ１０の斜視図である。
【図３】デジタルカメラ１０の斜視図である。
【図４】防水ジャック部１００の断面図である。
【図５】防水ジャック部１００の断面図である。
【図６】防水ジャック部１００の断面図である。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、デジタルカメラ１０の斜視図である。図１に示すように、デジタルカメラ１０はカメラボディ３０および当該カメラボディ３０に対して開閉可能なカバー１８０、１８２を有する。デジタルカメラ１０の一例は、カメラボディ３０に対してレンズユニットが着脱可能な一眼カメラである。ただし、デジタルカメラ１０は、一眼カメラに限られず、カメラボディ３０とレンズユニットとが一体となった、いわゆるコンパクトカメラであってもよい。
【００１０】
図２は、デジタルカメラ１００の斜視図において、カバー１８０、１８２を開けた状態を示す。カバー１８０を開けた状態で、外壁３２が露出している。当該外壁３２には、防水ジャック部１００、１６２、１６４が設けられる。すなわち、防水ジャック部１００、１６２、１６４は、カバー１８０を閉めることにより当該カバー１８０に覆われる。よって、防水ジャック部１００、１６２、１６４のいずれもが使用されない場合には、カバー１８０を閉めることにより、外部から雨等の水滴が浸入するのを防ぐことができる。
【００１１】
また、カバー１８２を開けた状態で、外壁３４が露出している。当該外壁３４には防水ジャック部１６０、１６６が設けられる。すなわち、防水ジャック部１６０、１６６は、カバー１８２を閉めることにより当該カバー１８２に覆われる。よって、防水ジャック部１６０、１６６のいずれもが使用されない場合には、カバー１８２を閉めることにより、外部から雨等の水滴が浸入するのを防ぐことができる。
【００１２】
図３は、防水ジャック部１００にプラグ２０が挿入された状態を示す、デジタルカメラ１００の斜視図である。本実施形態において、防水ジャック部１００はプラグ２０が挿入された状態で、当該プラグ２０との間に防滴構造を形成し、外部からの雨等の水滴の浸入を防ぐ。
【００１３】
ここで、防水ジャック部１００には差し込み式のプラグ２０が挿抜される。例えば、防水ジャック部１００は、映像出力端子として用いられる。防水ジャック部１００は、他に、ＵＳＢ（ユニバーサルシリアルバス）端子、ＨＤＭＩ（高解像度マルチメディアインターフェイス）端子、ＧＰＳ（グローバルポジショニングシステム）端子、マイク入力端子等に用いられてもよい。
【００１４】
図４は、防水ジャック部１００の断面図である。防水ジャック部１００は、プラグ２０の先端部２２が挿入されるジャック本体１１０と、当該先端部２２に当接して防滴構造を形成するシール部１２０とを有する。
【００１５】
ジャック本体１１０は、カメラボディ３０の実装基板１４０に取り付けられるとともに、電気的に接続される。また、ジャック本体１１０は、プラグ２０と電気的に接続される部分が少なくとも導電性の材料により形成される。当該ジャック本体１１０は全体が銅等の導電性の金属により形成されてもよい。
【００１６】
ジャック本体１１０の挿入口１１２は、プラグ２０の先端部２２と相補的な形状を有する。図４に示す例において、先端部２２が円柱形であることに対応して、挿入口１１２の内面は円筒形を有する。さらに、挿入口１１２の大きさは、先端部２２が挿入された場合の両者の結合力が、工業規格等により規定された結合力となるように設定される。結合力は例えば４Ｎから４０Ｎである。
【００１７】
シール部１２０は弾性を有する材料、例えばシリコーンゴムにより形成された一体の部材である。当該シール部１２０は、上記挿入口１１２の外側から順に、固定部１２２、スカート部１２４および当接部１２６を有する。
【００１８】
固定部１２２は、カメラボディ３０の外壁３２と支持ステー１４２との間に挟まれて保持される。これにより、固定部１２２はジャック本体１１０に対して相対的に固定される。さらに、図４に示すように、固定部１２２と外壁３２との間に電磁シールド板１４４が介在していてもよい。
【００１９】
スカート部１２４は、固定部１２２の内側に連結されている。図４に示す例において、スカート部１２４は、外壁３２の側に向かって凸の御椀形を有する。当該スカート部１２４は、固定部１２２よりも厚みが小さい。これにより、スカート部１２４は、プラグ２０の挿抜方向について弾性変形する。
【００２０】
当接部１２６は、スカート部１２４の内側に連結されている。当接部１２６は、スカート部１２４よりも厚みが大きい。図４に示すように、プラグ２０がジャック本体１１０に挿入されていない状態において、当接部１２６は、ジャック本体１１０がプラグ２０に当接する当接面１１４よりも、プラグ２０の挿抜方向における外側に突出している。この場合に、例えばスカート部１２６に弾性変形が加わらない自然な状態において当接部１２６が当接面１１４よりも突出するように当接部１２６の挿抜方向の長さが設定される。
【００２１】
当接部１２６の中央にはプラグ２０が挿入される挿入口１２８が設けられ、当該挿入口１２８は、ジャック本体１１０の挿入口１１２と同心円状に配される。また、上記スカート部１２４も当該挿入口１２８と同心円状に配される。
【００２２】
図５は、プラグ２０が挿入された状態の防水ジャック部１００を示す断面図である。図５において図４と同じ構成には同じ番号を付して説明を省略する。
【００２３】
図５において、プラグ２０の先端部２２がジャック本体１１０の挿入口１１２に挿入される。プラグ２０の先端部２２と大径部２６と段差が当接面２４となっており、当該当接面２４がジャック本体１１０の当接面１１４に当接することで、それ以上の挿入が規制される。
【００２４】
当接部１２６は、スカート部１２４の弾性変形の復元力により付勢されてプラグ２０の当接面２４に当接する。これにより、プラグ２０が挿入された状態で、プラグ２０を伝って雨等の水滴がカメラボディ３０内に浸入するのを防ぐことができる。
【００２５】
ここで、図４に示すように、プラグ２０がジャック本体１１０に挿入されていない状態において、当接部１２６は、ジャック本体１１０がプラグ２０に当接する当接面１１４よりもプラグ２０の挿抜方向における外側に突出している。よって、図５に示すように、プラグ２０がジャック本体１１０に挿入されて、当接面２４が当接面１１４に当接している状態において、スカート部１２４が確実に弾性変形してその復元力により当接部１２６を当接面２４に確実に当接することができる。
【００２６】
また、当接部１２６はプラグ２０の先端部２２の径方向についてジャック本体１１０の当接面１１４よりも外側で当接面２４に接している。これにより、水滴の浸入を確実に防ぐことができる。なお、プラグ２０の側も当該当接面２４を当接部１２６の外径よりも大きくすることで、当該当接部１２６との間で確実に防滴機能を発揮することができる。
【００２７】
ここで、スカート部１２４の復元力により当接部１２６が当接面２４に当接する接触圧は、０．２Ｎから０．４Ｎ程度で防滴機能を発揮する。すなわち、当該接触圧は、ジャック本体１１０がプラグ２０と結合する結合力の１／１０から１／２００の範囲内でよい。よって、結合力を実質的に弱めることなく、すなわちプラグ２０が抜けやすくなる等の不具合なく、防滴機能を発揮することができる。特にＯリングを用いた場合と比べて変形のストロークを大きくすることができるので、プラグ２０が抜けやすくなる等の不具合なく、より確実に防滴機能を発揮することができる。また、スカート部１２４が薄いので、温度変化によってゴム硬度が変化しても防滴機能への影響を小さくすることができる。
【００２８】
なお、シール部１２０は導電性の材料で形成されてもよい。シール部１２０が導電性の材料で形成されている場合には、当該シール部１２０が電磁シールド部材を兼ねることができる。またシール部１２０は、カメラボディ３０に用いられているゴムボタンのゴム部材と同じ形状であってもよい。これにより部品設計の数を減らしてコストを下げることができる。
【００２９】
図６は、防水ジャック部１００にダミープラグ２２０が挿入された状態を示す断面図である。ダミープラグ２２０は、プラグ２２の先端部２２と同一の外形を有する先端部２２２と、先端部２２よりも大径の大径部２２６と、これら先端部２２２と大径部２２６との段差に設けられた当接面２２４とを有する。ダミープラグ２２０は例えば樹脂により一体的に形成される。
【００３０】
プラグ２２を挿入しないときには、当該ダミープラグ２２０を挿入しておくことにより、当該ダミープラグ２２０とシール部１２０とで防滴機能を発揮することができる。よって、同一のカバー１８０で開閉される他の防水ジャック部１６２にプラグが挿入されて使用されるが当該防水ジャック部１００は使用されない場合であっても、当該ダミープラグ２２０を挿入しておくことで、カバー１８０が開いた状態で雨等の水滴の浸入を防ぐことができる。
【００３１】
なお、ダミープラグ２２０の大径部２２６の外径は、プラグ２０の大径部２６の外径と同じであってもよいが、それよりも大きくてもよく、当接部１２６の外径よりも大きいことが好ましい。また、大径部２２６の挿抜方向の長さは、カバー１８０を閉じた状態で当該カバー１８０に当接しないことが好ましい。これにより、カバー１８０を閉じるときにもダミープラグ２２０を外す手間を省くことができる。
【００３２】
また、図４から図６においては防水ジャック部１００について説明したが、他の防水ジャック部１６０、１６２、１６４、１６６が同じ構成を有していてもよい。この場合に、ジャック本体等の形状は、挿入されるプラグに対応して相補的な形状にされる。さらに、防水ジャック部１００、１６０、１６２、１６４、１６６のシール部の色を互いに異ならせてもよい。これによりユーザに防水ジャック部１００、１６０、１６２、１６４、１６６とそれに対応するプラグの組とを容易に認識させることができる。特にシール部の色と同じ色をプラグ側にも付することによって、ジャックとプラグの組をより容易に認識させることができる。
【００３３】
また、図１から図６ではデジタルカメラ１０を例としたが、他の電子機器に防水ジャック部１００を用いてもよい。例えば、音楽再生機器、携帯型情報端末等に当該防水ジャック部１００を用いてもよい。
【００３４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００３５】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００３６】
１０  デジタルカメラ、２０  プラグ、２２  先端部、２４  当接面、２６  大径部、３０  カメラボディ、３２  外壁、３４  外壁、１００  防水ジャック部、１１０  ジャック本体、１１２  挿入口、１１4  当接面、１２０  シール部、１２２  固定部、１２４  スカート部、１２６  当接部、１２８  挿入口、１４０  実装基板、１４２  支持ステー、１４４  シールド板、１６０  防水ジャック部、１６２  防水ジャック部、１６４  防水ジャック部、１６６  防水ジャック部、１８０  カバー、１８２  カバー、２２０  ダミープラグ、２２２  先端部、２２４  当接面、２２６  大径部
【図１】
0006047875.tif 000002
【図２】
0006047875.tif 000003
【図３】
0006047875.tif 000004
【図４】
0006047875.tif 000005
【図５】
0006047875.tif 000006
【図６】
0006047875.tif 000007